(57)【特許請求の範囲】
【請求項１】
進行方向前後に一対ずつの車輪（２、３）を有する台車（４）を下部に配した装置本体（５）と、装置上下方向を回転軸方向にして前記装置本体（５）に旋回可能に取り付けられていて、装置上下方向に屈曲可能な節部（１４）を有するアーム（６）と、前記アーム（６）の先端に取り付けられたＸ線照射部（７）とからなり、装置本体（５）の台車幅方向に向けたアーム（６）の旋回によりＸ線照射部（７）が台車幅方向である装置本体（５）の側方上部に配置可能とされている回診用Ｘ線撮影装置（１）であって、
前記装置本体（５）は、前記車輪（２，３）の内の後輪（３）側の上方に主体部分（５ａ）が形成されていて、該主体部分（５ａ）の下部から台車前床部（９）が進行方向前方に向けて延設され、前記台車前床部（９）の上方にして前記主体部分（５ａ）の前方に、下方に屈曲した前記アーム（６）と前記Ｘ線照射部（７）とを位置させる格納空間（１０）を有しており、
かつ前記装置本体（５）に、該装置本体（５）を進行方向に貫通して装置本体（５）の前面側と装置本体（５）の後面側とが開放され、装置本体（５）の前後面の両面からフラットパネルディテクター（１１）が出し入れ可能とされているフラットパネル収納部（１２）が、台車幅方向に対向する配置で対にして設けられており、
前記対とされた二つのフラットパネル収納部（１２）の間が、前記Ｘ線照射部（７）の装置幅方向での幅より離れていて、
前記格納空間（１０）にアーム（６）とＸ線照射部（７）とが位置しているときの前記アーム（６）とＸ線照射部（７）とに非干渉にして、主体部分（５ａ）の前方から前記フラットパネルディテクター（１１）の出し入れが可能な構成を有することを特徴とする回診用Ｘ線撮影装置。
【請求項２】
上記フラットパネル収納部（１２）に、上記フラットパネルディテクター（１１）の移動を規制するフラットパネル移動規制手段（１６）が設けられている請求項１に記載の回診用Ｘ線撮影装置。
【発明の詳細な説明】
【技術分野】
【０００１】
本発明は、回診用Ｘ線撮影装置に関するものである。
【背景技術】
【０００２】
従来から回診用Ｘ線撮影装置は、装置本体の下部に台車が一体的に構成されていて、手押しや動力を用いて移動させることができるものである。また、装置本体の前方に延設された台車部分や装置本体の上面前辺側にアームが旋回自由にして取り付けられ、そのアームの先端にＸ線照射部が取り付けられている。
【０００３】
さらに、回診用Ｘ線撮影装置では、装置本体の上面を操作部としてＸ線撮影に係る各種の設定が行なえるようにしているとともに、ベッドで伏している被検者の下に挿し入れてＸ線撮影像を写し込むための複数のカセッテを収納する部分が、例えば特許文献１に示されているように装置本体の後面側に設けられている。
【先行技術文献】
【特許文献】
【０００４】
【特許文献１】特開２００４−１２６３６６号公報
【発明の概要】
【発明が解決しようとする課題】
【０００５】
ところで回診用Ｘ線撮影装置での撮影に際しては、この回診用Ｘ線撮影装置がＤＲ（Ｄｉｇｉｔａｌ  Ｒａｄｉｏｇｒａｐｈｙ）型の装置であっても、Ｘ線撮影の被検者が伏しているベッドに回診用Ｘ線撮影装置が横付けされていて、撮影技師が被検者の撮影部分の下位置に、ＤＲ型の装置の場合にはＸ線像イメージデータを写し込むためのフラットパネルディテクターを差し入れるとともに、装置のアームを旋回させてＸ線照射部が撮影部分に対応するように調整して撮影を行なっており、その撮影が終了すれば、アームを待機位置に戻すとともに、フラットパネルディテクターを回収して装置本体の格納部に収め入れるようにしている。なお、回診用Ｘ線撮影装置がＣＲ（Ｃｏｍｐｕｔｅｄ  Ｒａｄｉｏｇｒａｐｈｙ）型の装置である場合、Ｘ線像が写し込まれる検出器はカセッテとなり、そのカセッテも前述のようにして取り扱われていて、撮影終了ではやはり装置本体の格納部に収め入れるようにしている。
【０００６】
このような撮影では、回診用Ｘ線撮影装置が重量物であることから、撮影技師が装置本体の後面側からフラットパネルディテクターを引き出してそのフラットパネルディテクターを持ちながら装置本体の前方へと回り込んで、被検者の身体の下にそのフラットパネルディテクターを差し入れるようにしており、また、撮影が終了した後においても、被検者の下から引き出したフラットパネルディテクターを持って装置本体の後面側に回り込んで、後面側の収納部分にそのフラットパネルディテクターを仕舞う動作をすることとなり、撮影に際してフラットパネルディテクターの取り出しと戻しとが煩雑になるという問題があった。
【０００７】
そこで本発明は上記事情に鑑み、回診用Ｘ線撮影装置によるＸ線撮影に際し、収納部分からフラットパネルディテクターを取り出したり戻したりする作業が極力簡便になるようにすることを課題とし、撮影技師の労務を軽減することを目的とするものである。
【課題を解決するための手段】
【０００８】
（請求項１の発明）
本発明は上記課題を考慮してなされたもので、進行方向前後に一対ずつの車輪（２、３）を有する台車（４）を下部に配した装置本体（５）と、装置上下方向を回転軸方向にして前記装置本体（５）に旋回可能に取り付けられていて、装置上下方向に屈曲可能な節部（１４）を有するアーム（６）と、前記アーム（６）の先端に取り付けられたＸ線照射部（７）とからなり、装置本体（５）の台車幅方向に向けたアーム（６）の旋回によりＸ線照射部（７）が台車幅方向である装置本体（５）の側方上部に配置可能とされている回診用Ｘ線撮影装置（１）であって、
前記装置本体（５）は、前記車輪（２，３）の内の後輪（３）側の上方に主体部分（５ａ）が形成されていて、該主体部分（５ａ）の下部から台車前床部（９）が進行方向前方に向けて延設され、前記台車前床部（９）の上方にして前記主体部分（５ａ）の前方に、下方に屈曲した前記アーム（６）と前記Ｘ線照射部（７）とを位置させる格納空間（１０）を有しており、
かつ前記装置本体（５）に、該装置本体（５）を進行方向に貫通して装置本体（５）の前面側と装置本体（５）の後面側とが開放され、装置本体（５）の前後面の両面からフラットパネルディテクター（１１）が出し入れ可能とされているフラットパネル収納部（１２）が、台車幅方向に対向する配置で対にして設けられており、
前記対とされた二つのフラットパネル収納部（１２）の間が、前記Ｘ線照射部（７）の装置幅方向での幅より離れていて、
前記格納空間（１０）にアーム（６）とＸ線照射部（７）とが位置しているときの前記アーム（６）とＸ線照射部（７）とに非干渉にして、主体部分（５ａ）の前方から前記フラットパネルディテクター（１１）の出し入れが可能な構成を有することを特徴とする回診用Ｘ線撮影装置を提供して、上記課題を解消するものである。
【０００９】
（請求項２の発明）
そして、本発明は、上記フラットパネル収納部（１２）に、上記フラットパネルディテクター（１１）の移動を規制するフラットパネル移動規制手段（１６）が設けられていることが良好である。
【発明の効果】
【００１０】
（請求項１の発明の効果）
請求項１に係る発明によれば、装置本体の前面側からと後面側からとの両方でフラットパネルディテクターをフラットパネル収納部に出し入れでき、上述したような撮影技師が装置本体を回り込んでフラットパネルディテクターを収納部分に出し入れするという手間を解消する。
【００１１】
（請求項２の発明の効果）
請求項２に係る発明によれば、フラットパネル収納部でフラットパネルディテクターが抜け落ちる方向に移動するのを規制して、回診用Ｘ線撮影装置の移動中にフラットパネルディテクターが脱落するのを防止できる。
【図面の簡単な説明】
【００１２】
【図１】本発明に係る回診用Ｘ線撮影装置の一例を側方から見た状態で示す説明図である。
【図２】一例を上方から見た状態で示す説明図である。
【図３】同じく一例の装置本体を正面側から見た状態で示す説明図である。
【図４】同じく一例の装置本体を後面側から見た状態で示す説明図である。
【図５】他の例を側方から見た状態で示す説明図である。
【図６】他の例を上方から見た状態で示す説明図である。
【図７】他の例の装置本体を正面側から見た状態で示す説明図である。
【図８】他の例の装置本体を後面側から見た状態で示す説明図である。
【発明を実施するための形態】
【００１３】
つぎに本発明を図１から図８に示す実施の形態に基づいて詳細に説明する。図中１は回診用Ｘ線撮影装置で、この回診用Ｘ線撮影装置１は、実施の形態を側方から見た状態で表している図１に示されているように、一対の前輪２が小径とされ、一対の後輪３が大径とされている台車４を下部としている装置本体５と、前記装置本体５の上面に基端が位置していて、装置上下方向を回転中心軸方向して旋回可能にして装置本体５に取り付けられているアーム６と、前記アーム６の先端に取り付けられているＸ線照射部７とからなるものである。
【００１４】
（装置本体）
装置本体５は後輪３側の上方に主体部分５ａが形成されていて、主体部分５ａの上面には、その前縁中央に上述のようにアーム６の基端が位置しているとともに、操作面などが構成され、主体部分５ａの上面の後方にはこの回診用Ｘ線撮影装置１を前進させたり後退させたりする際に掴み持つグリップ８が台車幅方向に渡されている。
【００１５】
また、装置本体５の主体部分５ａの下部から台車前床部９が、この回診用Ｘ線撮影装置１の進行方向前方に向けて延設され、この台車前床部９の先端の両側それぞれに上記前輪２が設けられている。主体部分５ａの下部に連続する前記台車前床部９の上方は、回診用Ｘ線撮影装置１の不使用時や移動時に折り下げられるアーム６とＸ線照射部７とを位置させるための格納空間１０としている。
【００１６】
（アーム）
アーム６は、装置本体５の上方に立ち上がって装置上下方向に沿う回転中心軸１３ａを中心にして軸回転可能とされた支柱部１３と、この支柱部１３の上部に連結され、下方に屈曲可能な節部１４を有する横アーム部１５とからなるものである。そして、アーム６は回転中心軸１３ａを中心として旋回可能とされており、進行方向に対して左右それぞれに９０度ずつ旋回し、Ｘ線照射部７を装置本体５の側方上部に配置可能にしている。
【００１７】
（フラットパネル収納部）
装置本体５を前方側と後方側から見た状態の図３、図４に示されているように、フラットパネルディテクター１１を出し入するフラットパネル収納部１２が主体部分５ａに設けられている。フラットパネル収納部１２は、主体部分５ａを進行方向に沿った方向で貫く空間として形成されて、前面側と後面側とがともに出し入れ口１２ａとして開放されており、台車幅方向に対向する配置で対にして設けられている。
【００１８】
フラットパネル収納部１２それぞれは上述のように進行方向に沿う貫通空間として形成されていることから、装置本体５の後面側からフラットパネル収納部１２にフラットパネルディテクター１１を出し入れでき、また、装置本体５の前面側からもフラットパネルディテクター１１が出し入れできるように設けられている。
【００１９】
なお、折り下げられたアーム６とＸ線照射部７の格納空間１０は、上記主体部分５ａの前方に配置されたものとなるが、アーム６とＸ線照射部７が格納空間１０に位置している状態でも、フラットパネル収納部１２の前方側はアーム６やＸ線照射部７では塞がれない。即ち、Ｘ線照射部７の幅（装置幅方向での幅）より前記二つのフラットパネル収納部１２が離れた配置とされており、格納空間１０に下されたアーム６とＸ線照射部７に干渉することなしにフラットパネルディテクター１１の出し入れを、主体部分５ａの前方からでも行なえる。
【００２０】
さらにフラットパネル収納部１２それぞれには、このフラットパネル収納部１２に配置したフラットパネルディテクター１１が不用意に移動して抜け落ちすることがないようにフラットパネル移動規制手段１６が設けられている。この実施の例にあってはフラットパネル移動規制手段１６は、収納部天面に下方に凸となる板ばね１６ａからなるものであり、フラットパネル収納部１２内にあるフラットパネルディテクター１１の上辺となる部分に付勢状態で当接して、フラットパネルディテクターの移動を規制する。
【００２１】
もちろん、上記フラットパネル移動規制手段１６のフラットパネルディテクター１１に対する付勢力は、撮影技師がフラットパネルディテクター１１を出し入れする操作に支障を来すものではない。このようにフラットパネル移動規制手段１６が設けられているので、フラットパネル収納部１２にフラットパネルディテクター１１を収納した状態で回診用Ｘ線撮影装置１を移動させているときに、フラットパネルディテクター１１がフラットパネル収納部１２から前後に移動して脱落するという不具合をより確実に防止する。
【００２２】
上記実施の例においては、フラットパネル移動規制手段１６を、フラットパネル収納部１２の天面に下方に凸となる板ばね１６ａからなるものとして示したが、このフラットパネル移動規制手段１６は板ばねからなるものに限定されない。
【００２３】
図５から図８はフラットパネル移動規制手段１６の他の例を示していて、フラットパネル収納部１２の出し入れ口１２ａの下辺に、主体部分５ａの前後方向にして張り出て前記出し入れ口１２ａの間口方向に跨るように略コ字状とされたストッパー１６ｂを配しており、このストッパー１６ｂによってフラットパネル移動規制手段１６が形成されている。
【００２４】
この略コ字状としたストッパー１６ｂからなるフラットパネル移動規制手段１６においても、フラットパネル収納部１２に入れたフラットパネルディテクター１１が不用意に移動したときに、そのフラットパネルディテクター１１のズリ出た側の下端部分がストッパー１６ｂに当たるようになり、フラットパネルディテクター１１が脱落するのを防止できる。勿論、ストッパー１６ｂの高さ位置からフラットパネル収納部１２の天面の高さ位置までは、フラットパネルディテクター１１を抜き差しする操作に支承を来さない距離が確保されている。
【符号の説明】
【００２５】
１…回診用Ｘ線撮影装置
２…前輪
３…後輪
４…台車
５…装置本体
５ａ…主体部分
６…アーム
７…Ｘ線照射部
９…台車前床部
１０…格納空間
１１…フラットパネルディテクター
１２…フラットパネル収納部
１３…支柱部
１５…横アーム部
１６…フラットパネル移動規制手段
【図１】
0006678471.tif 000002
【図２】
0006678471.tif 000003
【図３】
0006678471.tif 000004
【図４】
0006678471.tif 000005
【図５】
0006678471.tif 000006
【図６】
0006678471.tif 000007
【図７】
0006678471.tif 000008
【図８】
0006678471.tif 000009